(57)【要約】【課題】実装用資源の削減、運用時の安全性の確保、及び、電力効率の改善を、より図り得る、給電システム等の提供。【解決手段】受電装置は、給電が行われていない場合の第一端子の接地と、処理を行う際の前記接地の解除及び第一変動電圧の前記第一端子への印加と、各部分への電力の供給とを行い、給電装置は、前記第一端子と第三端子とが電気的に切断された場合の前記第三端子への直流電圧の印加と、前記第三端子の電圧が所定の直流電圧以外の電圧である旨の判定による前記第一端子と前記第三端子との電気的接続及び前記第二端子と第四端子との電気的接続が共に行われている旨の出力と、前記第三端子の電圧が第二変動電圧である旨の判定による前記処理が行われている旨の出力と、前記第四端子への給電である第四端子給電と行い得る。【選択図】      図１
2019004649.tif 000002
【特許請求の範囲】
【請求項１】
受電装置と給電装置とを備え、
前記受電装置は、第二端子への給電である第二端子給電が行われていない場合に第一端子の接地を行う第一部分と、所定の処理を行う際に前記接地の解除と時間の経過により変動する第一変動電圧の前記第一端子への印加である第一印加とを行う第二部分と、前記第一部分、前記第二部分及び前記第二部分に対して前記第二端子給電を受けた電力の供給を行う第三部分と、を備え、
前記給電装置は、前記第一端子と第三端子とが電気的に切断された場合に前記第三端子に所定の直流電圧の印加である第二印加を行う第四部分と、前記第三端子の電圧が、所定の閾値より高い直流電圧、以外の電圧である旨の第一判定結果を得た場合に、前記第一端子と前記第三端子との第一電気的接続及び前記第二端子と第四端子との第二電気的接続が共に行われている旨を表す第一情報を出力し、前記第三端子の電圧が時間の経過にともない変動する第二変動電圧であるという第二判定結果を得た場合に、前記処理が行われている旨を表す第二情報を出力する第五部分と、前記第五部分が前記第一情報を出力した場合に前記第四端子への給電である第四端子給電を行い得る第六部分と、を備える、
給電システム。
【請求項２】
前記第一変動電圧が第一周期で変動し、前記第二変動電圧が第二周期で変動し、前記第二判定結果が、前記第一周期と前記第二周期とが等しい旨の判定結果を含む、請求項１に記載された給電システム。
【請求項３】
前記処理は、前記給電により、前記第二部分が行うものである、請求項１又は請求項２に記載された給電システム。
【請求項４】
前記第一印加が、所定の容量のコンデンサを介してのものである、請求項１乃至請求項３のうちのいずれか一に記載された給電システム。
【請求項５】
前記第一部分が、前記接地の有無を切り替える切替部である、請求項１乃至請求項４のうちのいずれか一に記載された給電システム。
【請求項６】
前記第六部分は、前記第五部分が前記第一情報を出力した場合に前記第四端子給電を行う、請求項１乃至請求項５のうちのいずれか一に記載された給電システム。
【請求項７】
前記第六部分は、前記第五部分が前記第二情報を出力しない場合に前記第四端子給電の開始を行う、請求項６に記載された給電システム。
【請求項８】
前記第六部分は、さらに第三判定結果を得た場合に、前記開始を行う、請求項７に記載された給電システム。
【請求項９】
前記第六部分は、さらに第四判定結果を得た場合に、前記第四端子給電の停止を行う、請求項８に記載された給電システム。
【請求項１０】
前記第一電気的接続及び前記第二電気的接続、並びに、前記第一電気的接続の解除及び前記第二電気的接続の解除が、接続部において行われる、請求項１乃至請求項９のうちのいずれか一に記載された給電システム。
【発明の詳細な説明】
【技術分野】
【０００１】
本発明は、給電装置から受電装置への給電に関する。
【背景技術】
【０００２】
近年、電子機器の機能の高度化や多様化に合わせて、装置をユニット化し、ユーザーが各ユニットを選択して組み合わせるシステムが増えている。そのようなシステムにおいては、各ユニットの電力用端子及びデータ通信用端子は、コネクタ等の接続部を介して互いに接続される。
【０００３】
ここで、例えば、以下のようなシステムが考えられる。当該システムにおいては、サーバー機能を備えるユニットをメインユニット（給電装置）とする。また、専ら音声インタフェースやＬＡＮ（Ｌｏｃａｌ  Ａｒｅａ  Ｎｅｔｗｏｒｋ）インタフェースを備えるユニットをサブユニット（受電装置）とする。そして、メインユニットと、それらサブユニットのいずれか、又は、両方をコネクタで接続し、メインユニットからサブユニットに電力を供給する。当該システムは、局面に応じて動作させるサブユニットを取捨選択できる柔軟性を備える。当該システムは、各ユニットが中央演算処理装置を備え、各々独立したソフトウェアにより動作処理を行う。ここで、一般的なサービスアプリケーションソフトウェアはユニット間の双方のソフトウェアが連携して動作する。しかしながら、給電動作は、サブユニットにおけるソフトウェア起動前に行われるものである。そのため、サブユニットは、給電動作に関する制御を行うことができない。従い、給電動作は、メインユニットにおける動作処理とハードウェアによって制御される。
【０００４】
そのため、電力効率や安全性を確保するためには、メインユニットにおいて、サブユニットとのコネクタ接続やサブユニットにおける動作処理の有無を検出し得る仕組みが必要である。
【０００５】
ここで、特許文献１は、接続された受電装置を検出し、検出された装置への電力供給を制御するシステムを開示する。このシステムは、ケーブルを通じての存在要求信号と存在検出信号の２信号を用いた所定の回路及び配線構成により、前述の仕組みを実現している。前記存在要求信号は、接続検出時に受電装置に送出される。受電装置側回路は、存在要求信号への応答として、同様のタイミング信号を存在信号として給電装置にフィードバックする。給電装置は、存在信号を検出すると、受電装置が接続されたとみなして、給電を開始する。受電装置は、給電後は常時ハイレベルの連続的存在信号により、接続されていることを給電装置に通知し続ける。受電装置が切断された場合、給電装置の検出回路にはローレベルの信号が入力される。給電装置は、ローレベルの信号により接続が解除されたことを認識する。
【先行技術文献】
【特許文献】
【０００６】
【特許文献１】特表２００２−５０７３４９号公報
【発明の概要】
【発明が解決しようとする課題】
【０００７】
特許文献１が開示する方法は、以下の３つの問題点がある。
【０００８】
第１の問題点は、この方法は、給電装置の回路及び装置間ケーブルにおいて、多くの実装用資源を必要とする点である。
【０００９】
その理由は、同方法は、給電装置において、存在検出器と信号発生器の２種類の回路が必要となる上、装置間ケーブルにおいても存在要求信号用と存在検出信号用の２種類の信号線を確保しなければならないためである。これは電子機器のコンパクト化要求に対して無視できない障害となり得る。
【００１０】
第２の問題点は、同方法は運用時の安全を十分に確保できない可能性がある点である。
【００１１】
その理由は、同方法を適用した場合、給電装置はタイミング信号を出力したままの状態で、未給電状態の受電装置にケーブル接続されるためである。その場合、受電装置の入力端子にラッチアップを生じさせ、入力端子を故障させる可能性がある。
【００１２】
第３の問題点は、同方法は電力効率を十分に確保できない可能性がある点である。
【００１３】
同方法では、給電装置からの給電が始まると、受電装置は常時ハイレベルの信号を給電装置に入力する。そして、給電装置が給電を停止すると検出信号はローレベルになる。給電装置と受電装置との間のコネクタがさらに切断されても、検出信号がローレベルであることは変わらない。すなわち、上記方法では、コネクタが切断された状態と、コネクタは接続されているが受電装置は動作しておらず給電の必要がない状態とを、給電装置が識別することができない。
【００１４】
そのため、同方法では、電力効率の一層の確保を目指した給電制御を行うことができない。そのような給電制御は、例えば、サービスの状態やスケジュールによって受電装置を動作させる必要がないときは給電を停止して消費電力を減らすような、給電制御である。
【００１５】
本発明は、実装用資源の削減、運用時の安全性の確保、及び、電力効率の改善を、より図り得る、給電システム等の提供を目的とする。
【課題を解決するための手段】
【００１６】
本発明の給電システムは、受電装置と給電装置とを備え、前記受電装置は、第二端子への給電である第二端子給電が行われていない場合に第一端子の接地を行う第一部分と、所定の処理を行う際に前記接地の解除と時間の経過により変動する第一変動電圧の前記第一端子への印加である第一印加とを行う第二部分と、前記第一部分、前記第二部分及び前記第二部分に対して前記第二端子給電を受けた電力の供給を行う第三部分と、を備え、前記給電装置は、前記第一端子と第三端子とが電気的に切断された場合に前記第三端子に所定の直流電圧の印加である第二印加を行う第四部分と、前記第三端子の電圧が所定の閾値より高い直流電圧、以外の電圧である旨の第一判定結果を得た場合に、前記第一端子と前記第三端子との第一電気的接続及び前記第二端子と第四端子との第二電気的接続が共に行われている旨を表す第一情報を出力し、前記第三端子の電圧が時間の経過にともない変動する第二変動電圧であるという第二判定結果を得た場合に、前記処理が行われている旨を表す第二情報を出力する第五部分と、前記第五部分が前記第一情報を出力した場合に前記第四端子への給電である第四端子給電を行い得る第六部分と、を備える。
【発明の効果】
【００１７】
本発明は、給電システム等は、実装用資源の削減、運用時の安全性の確保、及び、電力効率の改善を、より図り得る。
【図面の簡単な説明】
【００１８】
【図１】本実施形態の給電システムの構成例を表す概念図である。
【図２】受電装置の処理部が行う処理の処理フロー例を表す概念図である。
【図３】給電装置の検出部が行う処理の処理フロー例を表す概念図である。
【図４】各タイミングにおける、検出電圧、接続部の接続、給電部出力及び処理部の動作処理を表す図である。
【図５】本実施形態の給電システムの最小限の構成を表すブロック図である。
【発明を実施するための形態】
【００１９】
［構成と動作］
図１は、本実施形態の給電システムの例である給電システム１００の構成を表す概念図である。
【００２０】
給電システム１００は、給電装置１０１と受電装置２０２と接続部３０１とを備える。
【００２１】
給電システム１００は、給電装置１０１から受電装置２０２への給電を行うための装置である。
【００２２】
給電装置１０１は、検出部１１３と、処理部１１１と、給電部１１２と電圧源１２１と、抵抗１１５とを備える。
【００２３】
受電装置２０２は、切替部２３４と、コンデンサ２３５と、通知部２３３と、処理部２２１と、受電部２３２とを備える。
【００２４】
接続部３０１は、例えばコネクタとレセプタとから構成され、端子Ｋと端子Ｌの端子対及び端子Ｍと端子Ｎの端子対の各々の端子対における両端子間の電気的接続と切断（接続の解除）とを作業者等が行うことを容易にする。以下、端子Ｋと端子Ｌ、及び、端子Ｍと端子Ｎのいずれもが電気的に接続されていることを、接続部３０１が「接続」されているということとする。また、端子Ｋと端子Ｌ、及び、端子Ｍと端子Ｎのいずれもが電気的に切断されていることを、接続部３０１が「切断」されているということにする。
【００２５】
検出部１１３は、測定部１１３ａと、処理部１１３ｂとを備える。
【００２６】
測定部１１３ａは、端子Ａの電圧である端子Ａ電圧を測定する。そして、測定部１１３ａは、第一クロック信号に同期したタイミング（例えば第一クロック信号の立ち上がりのタイミング）において、端子Ａ電圧が、所定の閾値より高いかについての判定を行う。ここで、第一クロック信号は、検出部１１３内の処理のタイミングを同期させるためのクロック信号である。測定部１１３ａは、端子Ａ電圧が前記閾値より高いことを判定した場合は、例えば、ハイレベル（”１”の論理レベル）の信号を、処理部１１３ｂに対して出力する。一方、測定部１１３ａは、端子Ａ電圧が前記閾値以下であることを判定した場合は、例えば、ローレベル（”０”の論理レベル）の信号を、処理部１１３ｂに対して出力する。
【００２７】
処理部１１３ｂは、測定部１１３ａからの出力（以下、「測定出力」という。）がハイレベルであるかローレベルかの判定を前記第一クロック信号に同期したタイミング（例えば前記第一クロック信号の立ち上がりのタイミング）ごとに行う。当該判定は、一般的な論理回路で行うことができる。
【００２８】
そして、処理部１１３ｂは、測定出力がハイレベルである期間が所定の期間ＴＡの間継続した場合には、接続部３０１が切断されている旨を判定する。接続部３０１が接続されていない場合には、電圧源１２１から端子Ｂに所定の直流電圧が印加され、かつ、端子Ｂは接続部３０１及び受電装置２０２の切替部２３４を介して接地されていない。そのため、端子Ａ電圧は、前記閾値より高い直流電圧になる。前記閾値は、電圧源１２１から端子Ｂに所定の直流電圧が印加され、かつ、端子Ｂは接続部３０１及び受電装置２０２の切替部２３４を介して接地されていない場合の端子Ａ電圧よりも低い値に設定されている。
【００２９】
処理部１１３ｂは、接続部３０１が切断されている旨を判定した場合には、処理部１１１に対し、接続部３０１が切断されている旨を表す情報である第一Ｂ情報を送付する。
【００３０】
一方、処理部１１３ｂは、接続部３０１が切断されている旨を判定しなかっ
た場合には、接続部３０１が接続されている旨を判定する。そして、処理部１１３ｂは、処理部１１１に対し、接続部３０１が接続されている旨を表す情報である第一Ａ情報を送付する。
【００３１】
処理部１１３ｂは、また、前記期間ＴＡにおいて、測定出力が、ハイレベルであるタイミングとローレベルであるタイミングとが共にある場合には、受電装置２０２が動作状態にある旨を判定する。そして、処理部１１３ｂは、受電装置２０２が動作状態にある旨を表す情報である第二Ａ情報を、処理部１１１に対して送付する。  ここで、前記期間ＴＡにおける、測定部１１３ａから処理部１１３ｂへの出力のハイレベルとローレベルとの変動は、受電装置２０２が送付する後述の通知信号によるものである。なお、当該通知信号がハイレベルとローレベルとに切り替わる周期は、前記第一クロック信号の周期と比較して十分に大きいものとする。そのため、処理部１１３ｂは、前記通知信号のハイレベルに対応する測定出力のハイレベルと前記通知信号のローレベルに対応する前記測定出力のローレベルとを、共に検出することができる。
処理部１１３ｂは、前記期間ＴＡにおいて、測定出力が、ハイレベルであるタイミングとローレベルであるタイミングとが所定の周期で繰り返される場合に、受電装置２０２が動作状態にある旨を判定しても構わない。
【００３２】
その場合、処理部１１３ｂは、例えば、測定出力においてハイレベルが連続して継続する期間である第一の期間（第一クロック数）とローレベルが連続して継続する期間である第二の期間（第二クロック数）とを測定する。処理部１１３ｂは、後述の通知信号についての前記第一の期間と前記第二の期間とを、予め、図示しない記録部に保持している。そして、処理部１１３ｂは、端子Ａ電圧についての前記第一の期間と前記第二の期間が、前記通知信号の前記第一の期間及び前記第二の期間と略一致することを判定した場合に、端子Ａに通知信号による信号が到達していることを判定する。
【００３３】
処理部１１１は、検出部１１３から、前記第一Ａ情報を受けた場合には、受電装置２０２の受電部２３２への電力供給を指示する信号である第一Ａ指示信号を、給電部１１２に対して送付する。処理部１１１は、例えば、中央演算処理装置である。
【００３４】
処理部１１１は、あるいは、検出部１１３から、接続部３０１において前記第一Ａ情報を受けた場合に、所定の条件（第二条件）を満たす場合のみ、給電部１１２に対し、前記第一Ａ指示情報を送付してもよい。処理部１１１は、その場合において、他の条件（第三条件）を満たすことを判定した場合に、受電装置２０２の受電部２３２への電力供給を停止させる信号である第一Ｂ指示信号を、給電部１１２に対して送付しても構わない。
【００３５】
処理部１１１は、前記第一Ｂ指示信号を送付した後に、前記第一Ａ指示信号を給電部１１２に対して再度送付しても構わない。
【００３６】
電圧源１２１は、抵抗１１５を介して、端子Ｂに所定の直流電圧を印加する。その結果、接続部３０１の端子Ｋと端子Ｌとが電気的に切断されている状態において、端子Ｂの電圧は前記閾値よりも高い直流電圧になる。電圧源１２１が端子Ｂに供給する直流電圧は、接続部３０１の端子Ｋと、切替部２３４を介してグランドに接続されている端子Ｌとの電気的接続により、前記閾値以下の電圧になる。抵抗１１５の抵抗値は、接続部３０１の端子Ｋと端子Ｌとの電気的接続により前記閾値より高い値から前記閾値以下の値になるような（十分に大きな）値に設定されている。
【００３７】
給電部１１２は、処理部１１１からの前記第一Ａ指示信号により、端子Ｃから受電部２３２の端子Ｇへの給電を開始する。給電部１１２は、また、処理部１１１からの前記第一Ｂ指示信号により、端子Ｃから受電部２３２の端子Ｇへの給電を停止する。
【００３８】
一方、受電装置２０２の受電部２３２は給電部１１２から給電を受けた場合には、受電装置２０２の所定の構成に対し、電力を供給する。当該構成には、切替部２３４、通知部２３３及び動作部２１２が含まれる。なお、図１においては、受電部２３２からこれらの構成への給電経路は図示を省略してある。
【００３９】
処理部２２１は、動作部２１２と、通知部２３３とを備える。
【００４０】
動作部２１２は、受電部２３２からの給電を受けた場合には、切替部２３４に対し、端子Ｄと端子Ｅとを接続させる信号である第二指示信号を送付する。動作部２１２は、受電部２３２からの給電を受けた場合には、また、通知部２３３に対して、コンデンサ２３５の端子Ｉに対し、検出部１１３の説明で述べた前記所定の周期の通知信号の送付を指示する信号である第三指示信号を送付する。当該周期は、例えば、クロック信号や当該クロック信号と同期した周期である。
【００４１】
そして、動作部２１２は、所定の動作処理を開始する。当該動作処理の内容は任意である。当該動作処理は、例えば、オペレーティングシステムを起動した上での、所定のプログラムにより実行させられる処理である。その場合、前記動作処理の開始は、例えば、オペレーティングシステムの起動の開始である。
【００４２】
動作部２１２は、前記処理の終了を開始する際に、通知部２３３に対し、前記通知信号の停止を指示する第四指示信号を送付する。
【００４３】
通知部２３３は、動作部２１２から前記第三指示信号を受けた場合には、前述の通知信号をコンデンサ２３５の端子Ｉに入力する。コンデンサ２３５の端子Ｉに入力された当該通知信号は、コンデンサ２３５、切替部２３４及び接続部３０１を介して、検出部１１３の端子Ａに供給される。
【００４４】
前記通知信号は、例えば、処理部２２１が行う処理を同期させる第二クロック信号に同期した信号である。通知信号は、前記期間ＴＡにおいて、低い電圧レベルと高い電圧レベルとがある信号である。そして、前述のように、前記通知信号においてローレベルが継続する期間は、前述の第一クロック信号の周期と比較して十分に大きい。また、前記通知信号において高い電圧レベルが継続する期間は、前述の第一クロック信号の周期と比較して十分に大きい。そのため、給電装置１０１の検出部１１３は、前記期間ＴＡにおいて、前記通知信号のローレベルに対応した端子Ａ電圧レベルと、前記通知信号の高い電圧レベルに対応した端子Ａ電圧レベルとを、共に検出することができる。
【００４５】
通知部２３３は、動作部２１２から前記第四指示信号を受けた場合には、前述の通知信号のコンデンサ２３５の端子Ｉへの入力を停止する。
【００４６】
コンデンサ２３５は、通知部２３３から入力された前記所定の周波数の信号を、端子Ｈに通過させる。コンデンサ２３５は、電圧源１２１が発生し、端子Ｂ及び切替部２３４を介してコンデンサ２３５の端子Ｈに伝わる直流電圧は、端子Ｉに通過させない。
【００４７】
切替部２３４は、受電部２３２から電力が供給されない場合は、端子Ｄと端子Ｆとを電気的に接続する。端子Ｆはグランドに接続されている。切替部２３４は、また、動作部２１２から前記第二指示信号が入力された場合は、端子Ｄと端子Ｆとを電気的に切断し、端子Ｄと端子Ｅとを電気的に接続する。
【００４８】
図２は、図１に表す動作部２１２が行う処理の処理フロー例を表す概念図である。
【００４９】
動作部２１２は、例えば、受電部２３２からの電力供給により、図２に表す処理を開始する。
【００５０】
そして、動作部２１２は、Ｓ１０１の処理として、動作処理を開始するかについての判定を行う。当該動作処理の内容は任意である。当該動作処理は、例えば、オペレーティングシステムを起動した上での、所定のプログラムにより実行させられる処理である。動作部２１２は、当該判定を、例えば、外部からの開始情報の入力の有無を判定することにより行う。
【００５１】
動作部２１２は、Ｓ１０１の処理による判定結果がｙｅｓの場合は、Ｓ１０２の処理を行う。
【００５２】
一方、動作部２１２は、Ｓ１０１の処理による判定結果がｎｏの場合は、Ｓ１０１の処理を再度行う。
【００５３】
動作部２１２は、Ｓ１０２の処理を行う場合は、同処理として、切替部２３４に対し、前述の第二指示信号を送付する。切替部２３４は、当該第二指示信号の送付により、図１に表す端子Ｄと端子Ｅとを電気的に接続させる。
【００５４】
次に、動作部２１２は、Ｓ１０３の処理として、通知部２３３に対し、前述の第三指示信号を送付する。通知部２３３は、当該第三指示信号の送付により、前述の通知信号の、コンデンサ２３５の端子Ｉへの入力を開始する。
【００５５】
そして、動作部２１２は、Ｓ１０４の処理として、前述の動作処理を開始する。
【００５６】
なお、動作部２１２は、Ｓ１０３の処理とＳ１０４の処理とを同時に行っても構わない。また、動作部２１２は、Ｓ１０３の処理の開始の前にＳ１０４の処理を開始しても構わない。また、動作部２１２は、Ｓ１０３の処理の終了の前にＳ１０４の処理を終了しても構わない。
【００５７】
次に、動作部２１２は、前記動作処理を終了するかについての判定を行う。動作部２１２は、当該判定を、例えば、外部からの終了情報の入力の有無を判定することにより行う。
【００５８】
動作部２１２は、Ｓ１０５の処理による判定結果がｙｅｓの場合は、Ｓ１０６の処理を行う。
【００５９】
一方、動作部２１２は、Ｓ１０５の処理による判定結果がｎｏの場合は、Ｓ１０５の処理を再度行う。
【００６０】
動作部２１２は、Ｓ１０６の処理を行う場合は、同処理として、前記動作処理の終了を開始する。当該開始は、例えば、前記動作のためのプログラムの立ち下げである。
【００６１】
そして、動作部２１２は、Ｓ１０７の処理として、通知部２３３に対し前述の第四指示信号を送付する。通知部２３３は、当該第四指示信号により、前記通知信号の図１に表すコンデンサ２３５の端子Ｉへの出力を停止する。
【００６２】
動作部２１２は、Ｓ１０６の処理により開始した前記動作処理の終了を完了することにより、図２に表す処理を完了する。なお、Ｓ１０７の処理の前に、Ｓ１０６の処理により開始した前記動作処理の終了処理が終了した場合には、動作部２１２は、Ｓ１０７の処理の終了により、図２に表す処理を終了する。
【００６３】
なお、動作部２１２は、Ｓ１０６の処理とＳ１０７の処理とを同時に行っても構わない。また、動作部２１２は、Ｓ１０６の処理の開始より前にＳ１０７の処理を開始しても構わない。また、動作部２１２は、Ｓ１０６の処理の終了より前にＳ１０７の処理を終了しても構わない。
【００６４】
図３は、図１に表す給電装置１０１の検出部１１３が行う処理を表す概念図である。
【００６５】
検出部１１３は、例えば、処理部１１１からの開始情報の入力により、図３に表す処理を開始する。
【００６６】
そして、検出部１１３は、Ｓ２０１の処理として、端子Ａ電圧が、前記閾値より高い直流電圧であるかについての判定を行う。検出部１１３は、当該判定を、例えば、前記閾値より高い期間が所定の期間ＴＡ継続したか否かを判定することにより行う。
【００６７】
検出部１１３は、Ｓ２０１の処理による判定結果がｎｏの場合は、Ｓ２０２の処理を行う。
【００６８】
一方、検出部１１３は、Ｓ２０１の処理による判定結果がｙｅｓの場合は、Ｓ２０３の処理を行う。
【００６９】
検出部１１３は、Ｓ２０２の処理を行う場合は、同処理として、接続部３０１の前記両端子対における各両端子間が電気的に接続されている旨を表す前述の第一Ａ情報を、処理部１１１に対して送付する。そして、検出部１１３は、Ｓ２０４の処理を行う。
【００７０】
検出部１１３は、また、Ｓ２０３の処理を行う場合には、同処理として、接続部３０１が切断されている旨を表す前述の第一Ｂ情報を、処理部１１１に対して出力する。そして、処理部１１１はＳ２０７の処理を行う。
【００７１】
検出部１１３は、Ｓ２０４の処理を行う場合は、同処理として、端子Ａ電圧が所定の周期の交流電圧であるかについての判定を行う。検出部１１３は、
当該判定を、例えば、端子Ａ電圧についての前記第一の期間と前記第二の期間が、前記通知信号の前記第一の期間及び前記第二の期間と略一致するかを判定することにより行う。当該通知信号に対応する信号は、図１に表す通知部２３３から、コンデンサ２３５を経由して、切替部２３４に入力される。当該通知信号に対応する信号は、接続部３０１が接続され、切替部２３４の端子Ｄと端子Ｅとが電気的に接続された場合に、端子Ａに入力される。
【００７２】
検出部１１３は、Ｓ２０４の処理による判定結果がｙｅｓの場合は、Ｓ２０５の処理を行う。
【００７３】
一方、検出部１１３は、Ｓ２０４の処理による判定結果がｎｏの場合は、Ｓ２０６の処理を行う。
【００７４】
検出部１１３は、Ｓ２０５の処理を行う場合は、受電装置２０２が動作状態にある旨を表す前述の第二Ａ情報を、処理部１１１に対して出力する。そして、処理部１１１はＳ２０７の処理を行う。
【００７５】
検出部１１３は、Ｓ２０６の処理を行う場合は、受電装置２０２が動作状態にない旨を表す前述の第二Ｂ情報を、処理部１１１に対して出力する。そして、処理部１１１はＳ２０１の処理を再度行う。
【００７６】
検出部１１３は、Ｓ２０７の処理を行う場合は、同処理として、図３に表す処理を終了するかについての判定を行う。検出部１１３は、当該判定を、例えば処理部１１１からの終了情報の入力の有無を判定することにより行う。
【００７７】
検出部１１３は、Ｓ２０７の処理による判定結果がｙｅｓの場合は、図１に表す処理を終了する。
【００７８】
一方、検出部１１３は、Ｓ２０７の処理による判定結果がｎｏの場合は、Ｓ２０１の処理を再度行う。
【００７９】
図４は、各タイミングにおける、検出部１１３が検出する端子Ａの電圧、接続部３０１の接続、給電部１１２による端子Ｃからの出力及び動作部２１２による動作処理の各々を表す図である。
【００８０】
図４に表すタイミングａにおいては、接続部３０１は切断されているものとする。
【００８１】
このとき、端子Ａには、図１に表す電圧源１２１から電圧が印加される。また、端子Ｋと端子Ｌとは電気的に接続されていない。そのため、端子Ａ電圧は、ハイレベルのＤＣ電圧である。
【００８２】
次に、タイミングｂにおいて、例えば作業者により、接続部３０１の接続が行われたとする。
【００８３】
この状態において、図１に表す切替部２３４の端子Ｄは端子Ｆに接続されている。また、端子Ｆは接地されている。また、抵抗１１５は、接続部３０１の端子Ｋが接地された場合は、ローレベルになるような値に設定されている。そのため、接続部３０１の端子Ｋと端子Ｌとが接続されると、検出部１１３により検出される端子Ａ電圧はローレベルの直流電圧になる。
【００８４】
そして、検出部１１３は、当該端子Ａ電圧がローレベルであることを判定する（図３に表すＳ２０１の処理）。
【００８５】
そして、検出部１１３は、図１に表す処理部１１１に対して通知を行う（図３に表すＳ２０２の処理）。
【００８６】
当該通知を受けて、図４に表すタイミングｃにおいて、処理部１１１は、給電部１１２に対し、受電部２３２への給電を開始させる。受電部２３２は、当該給電を受けて、受電装置２０２の各構成への給電を開始する。当該給電には、動作部２１２、切替部２３４及び通知部２３３の各々への給電が含まれる。
【００８７】
動作部２１２は、切替部２３４に、端子Ｄと端子Ｅとを接続させる（図２に表すＳ１０２の処理）。
【００８８】
動作部２１２は、また、通知部２３３に、端子Ｊから端子Ｉへの通知信号の送付を指示する（図２に表すＳ１０３の処理）。
【００８９】
これらにより、通知部２３３が端子Ｉに送付する通知信号は、コンデンサ２３５、切替部２３４及び接続部３０１を介して、端子Ａに到達する。
【００９０】
そのため、検出部１１３は、図４に表すタイミングｄとタイミングｅとの間において、通知信号と同じ周期の交流信号を検出する。
【００９１】
動作部２１２は、また、タイミングｄにおいて、前述の動作処理を開始する（図２に表すＳ１０４の処理）。
【００９２】
そして、動作部２１２は、タイミングｅにおいて、前述の動作処理を終了したとする（図２に表すＳ１０５のｙｅｓ及びＳ１０６の処理）。
【００９３】
その場合、動作部２１２は、タイミングｅにおいて、通知部２３３に対して、通知信号の送付を停止させる（図２に表すＳ１０７の処理）。
【００９４】
ｅ−ｆ間のタイミングにおいては、切替部２３４の端子Ｄは端子Ｅに接続されている。そして、電圧源１２１から端子ＢへはＤＣ電圧が印加されている。そのため、検出部１１３は、タイミングｅとタイミングｆとの間においてハイレベルのＤＣ電圧を端子Ａ電圧として検出する。
【００９５】
検出部１１３は、動作部２１２が動作処理を行っていない旨を処理部１１１に通知する（図３に表すＳ２０６の処理）。
【００９６】
そして、処理部１１１は、図４に表すタイミングｆにおいて、給電部１１２に対して、受電部２３２への給電を停止させる。
【００９７】
これにより、受電部２３２から切替部２３４への給電は停止される。切替部２３４は、前述のように、給電が無い状態では、端子Ｄを端子Ｆに電気的に接続する。
【００９８】
そのため、図４に表すタイミングｆとタイミングｇとの間において、検出部１１３は、端子Ａ電圧としてローレベルを検出する。
【００９９】
検出部１１３は、接続部３０１が接続されている旨を表す情報を出力する（図３に表すＳ２０２の処理）。
【０１００】
その後、タイミングｇにおいて、例えば作業者により、接続部３０１の切断が行われるとする。当該作業者は、当該切断を、例えば、検出部１１３からの接続部３０１が接続されている旨を表す情報の出力を受けての、処理部１１１からの出力により行う。
【０１０１】
その場合、図１に表す端子Ｋと端子Ｌとの間の電気的接続は切断される。そのため、検出部１１３は、電圧源１２１からの電圧印加により、端子Ａ電圧として、ハイレベルのＤＣ電圧を検出する。
【０１０２】
そして、検出部１１３は、接続部３０１が切断されている旨を表す情報を、処理部１１１に出力する（図３に表すＳ２０３の処理）。
［効果］
本発明の給電システムにおいて、給電装置は、検出部が監視電圧の低下の有無を判定することにより、接続部の接続の有無を知る。また、前記給電システムの受電装置は、処理部が動作処理を開始する際に、通知部が前記給電装置に対して所定の周波数の通知信号を送付する。前記給電装置の検出部は、当該周波数の通知信号の有無を検出することにより、前記受電装置における処理動作の有無を知る。
【０１０３】
すなわち、前記給電装置は、前記受電装置との接続部における接続の有無と、前記受電装置の稼動状態とを知る。
【０１０４】
前記給電システムにおいては、上述の効果を得るために、給電装置は、通知信号の発生源を備える必要がない。また、給電装置と受電装置との間の信号線の数も一つである。すなわち、前記給電システムは、特許文献１が開示する方法と比較して、実装用資源の低減を図り得る。
【０１０５】
前記給電システムにおいては、また、前記接続部の接続を行う際に、給電装置から受電装置へのタイミング信号の送付は行われていない。そのため、特許文献１が開示する方法と比較して、接続時に入力端子を故障させる可能性が低い。
【０１０６】
前記給電装置は、前述のように、コネクタが切断された状態と、コネクタは接続されているが受電装置は動作しておらず給電の必要がない状態とを、識別することができない。そのため、前記給電装置は、特許文献１が開示する方法と比較して、電力効率の一層の確保を目指した給電制御を行うことができる。
【０１０７】
図５は、本実施形態の給電システムの最小限の構成である給電システム１００ｘの構成を表すブロック図である。
【０１０８】
受電装置２０２ｘと給電装置１０１ｘとを備える。
【０１０９】
受電装置２０２ｘは、図示しない、第一部分と、第二部分と、第三部分とを備える。
【０１１０】
前記第一部分は、第二端子への給電である第二端子給電が行われていない場合に第一端子の接地を行う。前記第二部分は、所定の処理を行う際に前記接地の解除と時間の経過により変動する第一変動電圧の前記第一端子への印加である第一印加とを行う。前記第三部分は、前記第一部分、前記第二部分及び前記第二部分に対して前記第二端子給電を受けた電力の供給を行う。
【０１１１】
給電装置１０１ｘは、図示しない、第四部分と、第五部分と、第六部分とを備える。
【０１１２】
前記第四部分は、前記第一端子と第三端子とが電気的に切断された場合に前記第三端子に所定の直流電圧の印加である第二印加を行う。前記第五部分は、前記第三端子の電圧が、所定の閾値より高い直流電圧、以外の電圧である旨の第一判定結果を得た場合に、第一情報を出力する。当該第一情報は、前記第一端子と前記第三端子との第一電気的接続及び前記第二端子と第四端子との第二電気的接続が共に行われている旨を表す情報である。前記第五部分は、また、前記第三端子の電圧が時間の経過にともない変動する第二変動電圧であるという第二判定結果を得た場合に、前記処理が行われている旨を表す第二情報を出力する。前記第六部分は、前記第五部分が前記第一情報を出力した場合に前記第四端子への給電である第四端子給電を行い得る。
【０１１３】
給電装置１０１ｘは、前記接地の有無による前記第三端子の電圧と前記閾値との大小関係により、前記第一電気的接続及び前記第二電気的接続の有無を判定し出力する。また受電装置２０２ｘは、前記処理を開始する際に、互いに接続された前記第一端子及び前記第三端子を介して、給電装置１０１ｘに対して第一交流電圧を送付する。給電装置１０１ｘは前記第一交流電圧による第二交流電圧を検出することにより、受電装置２０２ｘにおける前記処理の有無を検出する。
【０１１４】
すなわち、給電装置１０１ｘは、受電装置２０２ｘとの接続の有無と、受電装置２０２ｘの稼動状態とを、知ることができる。
【０１１５】
給電システム１００ｘにおいては、上述の効果を得るために、給電装置１０１ｘは、通知信号の発生源を備える必要がない。また、給電装置１０１ｘと受電装置２０２ｘとの間の信号線の数も複数にする必要がない。すなわち、前記給電システムは、特許文献１が開示する方法と比較して、実装用資源の低減を図り得る。
【０１１６】
給電システム１００ｘにおいては、また、前記接続を行う際に、給電装置１０１ｘから受電装置２０２ｘへのタイミング信号の送付は行わない。そのため、給電システム１００ｘは、特許文献１が開示する方法を用いたシステムと比較して、接続時に入力端子を故障させる可能性が低い。
【０１１７】
給電装置１０１ｘは、前述のように、受電装置２０２ｘとの前記接続が解除された状態と、前記接続は行われているが受電装置２０２ｘは動作しておらず給電の必要がない状態とを、識別することができる。そのため、給電装置１０１ｘは、特許文献１が開示する方法と比較して、電力効率の一層の確保を目指した給電制御を行うことができる。
【０１１８】
そのため、給電システム１００ｘは、前記構成により、［発明の効果］の項に記載した効果を奏する。
【０１１９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１２０】
また、前記の実施形態の一部又は全部は、以下の付記のようにも記述され得るが、以下には限られない。
【０１２１】
（付記Ａ１）
受電装置と給電装置とを備え、
前記受電装置は、第二端子への給電である第二端子給電が行われていない場合に第一端子の接地を行う第一部分と、所定の処理を行う際に前記接地の解除と時間の経過により変動する第一変動電圧の前記第一端子への印加である第一印加とを行う第二部分と、前記第一部分、前記第二部分及び前記第二部分に対して前記第二端子給電を受けた電力の供給を行う第三部分と、を備え、
前記給電装置は、前記第一端子と第三端子とが電気的に切断された場合に前記第三端子に所定の直流電圧の印加である第二印加を行う第四部分と、前記第三端子の電圧が、所定の閾値より高い直流電圧、以外の電圧である旨の第一判定結果を得た場合に、前記第一端子と前記第三端子との第一電気的接続及び前記第二端子と第四端子との第二電気的接続が共に行われている旨を表す第一情報を出力し、前記第三端子の電圧が時間の経過にともない変動する第二変動電圧であるという第二判定結果を得た場合に、前記処理が行われている旨を表す第二情報を出力する第五部分と、前記第五部分が前記第一情報を出力した場合に前記第四端子への給電である第四端子給電を行い得る第六部分と、を備える、
給電システム。
【０１２２】
（付記Ａ１．１）
前記第一変動電圧が第一周期で変動する、付記Ａ１に記載された給電システム。
【０１２３】
（付記Ａ１．２）
前記第二変動電圧が第二周期で変動する、付記Ａ１．１に記載された給電システム。
【０１２４】
（付記Ａ１．３）
前記第一周期と前記第二周期とが等しい、付記Ａ１．２に記載された給電システム。
【０１２５】
（付記Ａ２）
前記第二判定結果が、前記第一周期と前記第二周期とが等しい旨の判定結果を含む、付記Ａ１．２又は付記Ａ１．３に記載された給電システム。
【０１２６】
（付記Ａ３）
前記処理は、前記給電により、前記第二部分が行うものである、付記Ａ１乃至付記Ａ２に記載された給電システム。
【０１２７】
（付記Ａ４）
前記第一印加が、所定の容量のコンデンサを介してのものである、付記Ａ１乃至付記Ａ３のうちのいずれか一に記載された給電システム。
【０１２８】
（付記Ａ５）
前記第一部分が、前記接地の有無を切り替える切替部である、付記Ａ１乃至付記Ａ４のうちのいずれか一に記載された給電システム。
【０１２９】
（付記Ａ６）
前記第六部分は、前記第五部分が前記第一情報を出力した場合に前記第四端子給電を行う、付記Ａ１乃至付記Ａ５のうちのいずれか一に記載された給電システム。
【０１３０】
（付記Ａ７）
前記第六部分は、前記第五部分が前記第二情報を出力しない場合に前記第四端子給電の開始を行う、付記Ａ６に記載された給電システム。
【０１３１】
（付記Ａ８）
前記第六部分は、さらに第三判定結果を得た場合に、前記開始を行う、付記Ａ７に記載された給電システム。
【０１３２】
（付記Ａ９）
前記第六部分は、さらに第四判定結果を得た場合に、前記第四端子給電の停止を行う、付記Ａ８に記載された給電システム。
【０１３３】
（付記Ａ１０）
前記第六部分は、前記第五部分が前記第二情報を出力しない場合に、前記停止を行う、付記Ａ９に記載された給電システム。
【０１３４】
（付記Ａ１１）
前記第六部分は、前記停止後に前記第四端子給電の再開を行う、付記Ａ１０に記載された給電システム。
【０１３５】
（付記Ａ１２）
前記第一電気的接続及び前記第二電気的接続、並びに、前記第一電気的接続の解除及び前記第二電気的接続の解除が、接続部において行われる、付記Ａ１乃至付記Ａ１１のうちのいずれか一に記載された給電システム。
【０１３６】
（付記Ａ１３）
前記接続部は、付記Ａ１２に記載されたコネクタとレセプタとの組合せである、給電システム。
【０１３７】
（付記Ａ１４）
前記通知信号は、前記処理に係る同期信号に同期した信号である、付記Ａ１乃至付記Ａ１１のうちのいずれか一に記載された給電システム。
【０１３８】
（付記Ｂ１）
前記第二端子に所定の直流電圧を印加する電圧印加部と、
前記第一端子の電圧が所定の閾値以下であるという第一判定結果を得た場合に、給電が行われていない場合に接地され所定の処理を行う場合に交流電圧が印加される第三端子と前記給電を受ける第四端子とを備える受電装置が備える前記第一端子と前記第三端子との第一電気的接続及び前記第二端子と第四端子との第二電気的接続が共に行われている旨を表す第一情報を出力し、前記第一端子の電圧が交流電圧であるという第二判定結果を得た場合に、前記受電装置が稼動中である旨を表す第二情報を出力する、検出部と、
前記第二端子への給電を行い得る給電部と、
を備える給電装置。
【０１３９】
（付記Ｂ２）
前記第二判定結果が、前記第三端子の電圧の周期と前記第一端子の電圧の周期が等しい旨の判定結果である、付記Ｂ１に記載された給電装置。
【０１４０】
（付記Ｃ１）
給電が行われていない場合に第一端子の接地を行い、
所定の処理を行う際に第一交流電圧の前記第一端子への印加である第一印加を行い、第四端子への供給を受けた電力の供給を、前記接地、前記処理及び前記第一印加の各々を行う部分の各々に供給し、
前記第一端子に所定の直流電圧の印加である第二印加を行い、
第一端子の電圧が所定の閾値以下であるという第一判定結果を得た場合に、前記第一端子と前記第三端子との第一電気的接続及び前記第二端子と第四端子との第二電気的接続が共に行われている旨を表す第一情報を出力し、
前記第一端子の電圧が第二交流電圧であるという第二判定結果を得た場合に、前記処理が行われている旨を表す第二情報を出力し、
所定の場合に前記第二端子への給電を行う、
給電方法。
【符号の説明】
【０１４１】
１００、１００ｘ    給電システム
１０１、１０１ｘ    給電装置
１１１、１１３ｂ、２２１    処理部
１１２    給電部
１１３    検出部
１１３ａ    測定部
２０２、２０２ｘ    受電装置
２１２    動作部
２３２    受電部
２３３    通知部
２３４    切替部
２３５    コンデンサ
３０１    接続部
Ａ、Ｂ、Ｃ、Ｄ、Ｅ、Ｆ、Ｇ、Ｈ、Ｉ、Ｊ、Ｋ、Ｌ、Ｍ、Ｎ    端子
ａ、ｂ、ｃ、ｄ、ｅ、ｆ、ｇ    タイミング
【図１】
2019004649.tif 000003
【図２】
2019004649.tif 000004
【図３】
2019004649.tif 000005
【図４】
2019004649.tif 000006
【図５】
2019004649.tif 000007